(57)【要約】【課題】拡声装置を把持することなく、特定の人間に対して必要な音声を明確に伝達することができ、構造が簡単で、かつ安価な構成からなる身体装着型指向性拡声装置および音声伝達方法を提供する。【解決手段】工事現場の作業員の身体に装着して用いられる装着具１２と、装着具１２に設けられ、装着具１２を装着する者の音声を入力するためのマイク１４と、マイク１４から入力された音声の信号を増幅処理するアンプ１６と、アンプ１６による音声の処理信号を指向性の音声として出力する静電型スピーカ１８とを備えるようにする。本発明の装着具１２としては、作業員の胴体に装着して用いられる作業着、安全ベスト、頭部に装着して用いられるヘルメットなどで構成することができる。【選択図】図１
2014230214.tif 000002
【特許請求の範囲】
【請求項１】
工事現場の作業員の身体に装着して用いられる装着具と、前記装着具に設けられ、前記装着具を装着する者の音声を入力するためのマイクと、前記マイクから入力された音声の信号を増幅処理するアンプと、前記アンプによる音声の処理信号を指向性の音声として出力する静電型スピーカとを備えることを特徴とする身体装着型指向性拡声装置。
【請求項２】
前記装着具は、作業員の胴体に装着して用いられる作業着であり、前記スピーカは、前記作業着の胸部前面に配置され、指向性の音声を前方に向けて出力することを特徴とする請求項１に記載の身体装着型指向性拡声装置。
【請求項３】
前記装着具は、作業員の胴体に装着して用いられる安全ベストであり、前記スピーカは、前記安全ベストの胸部前面に配置され、指向性の音声を前方に向けて出力することを特徴とする請求項１に記載の身体装着型指向性拡声装置。
【請求項４】
前記装着具は、作業員の頭部に装着して用いられるヘルメットであり、前記スピーカは、前記ヘルメットの前面に配置され、指向性の音声を前方に向けて出力することを特徴とする請求項１に記載の身体装着型指向性拡声装置。
【請求項５】
前記スピーカは、軽量で折り曲げ可能な薄板状に構成されることを特徴とする請求項１〜４のいずれか一つに記載の身体装着型指向性拡声装置。
【請求項６】
請求項１〜５のいずれか一つに記載の身体装着型指向性拡声装置を利用した音声伝達方法。
【発明の詳細な説明】
【技術分野】
【０００１】
本発明は、例えばダム工事、トンネル工事、大規模造成工事などの工事現場において使用されるのに好適な作業着・ヘルメット・安全ベストなどで構成される身体装着型指向性拡声装置および音声伝達方法に関するものである。
【背景技術】
【０００２】
従来、ダム工事、トンネル工事、大規模造成工事などの土木建築工事における工事現場の作業安全性の向上を図るためには、クレーンオペレータなどに指示を明確に伝える必要がある。一般に工事現場では工事騒音が大きいため、作業員がメガホンなどの拡声装置を用いて指示を伝えているが、拡声装置を把持することによって少なくとも片手が塞がることから、当該作業員の作業安全性が低下するおそれがあった。
【０００３】
一方、駅のプラットホームなどの公共空間において、所定の情報を必要とする人間にだけにアナウンスすることに関する従来技術として、例えば特許文献１〜９の技術が知られている。
【０００４】
特許文献１の駅放送システムは、駅プラットホーム、エスカレータ等に平面スピーカまたは広告掲載平面スピーカを設置することにより、小音量放送で乗車客がプラットホームおよびエスカレータのどの位置においても明瞭な放送を聞き取ることができ、駅周辺のマンション等家屋には、その放送が極端に聞こえ難いようにしたものである。
【０００５】
特許文献２の拡声装置は、駅ホームなどに設置される狭指向性スピーカからなるものであり、案内放送を提供する場所の状況に応じて、狭指向性スピーカからの音量を自動で調整できるようにし、音量を大きくしても近隣への音漏れを軽減するようにしたものである。
【０００６】
特許文献３のエレベータの案内装置は、エレベータのかご室内または乗場に、互いに干渉しないように指向性をそれぞれ有する複数の指向性スピーカを設け、各指向性スピーカから言語の種類、情報の内容が異なるアナウンスを行うようにしたものである。
【０００７】
特許文献４の料金所誘導装置は、料金所ブース近傍の車両を検知するセンサの検知出力に応じ、超音波を搬送波とする超指向性音声信号を生成し、超音波を搬送波とした音声メッセージを料金所ブース近傍の車両へ放射する超指向性を有するスピーカを備えたものであり、料金所ゲート近傍の特定の運転者のみに音声案内を行うようにしたものである。
【０００８】
特許文献５のバス停用拡声装置は、人感センサから可聴エリアに人間が進入した旨の信号を受け取ると、その信号に対応する音声案内データを超指向性の音波として放射し、可聴音を伝達させるパラメトリックスピーカを備えたものであり、周囲への音声拡散を防ぎつつ複数種類の音声を同時に放送するようにしたものである。
【０００９】
特許文献６のエレベーターの音声案内装置は、割当かごの到着案内および到着予報案内について情報伝達を必要とする所定位置範囲へ音声案内を行う超指向性スピーカーを設け、この超指向性スピーカーに、所定位置範囲を超える音声の伝播を阻止する所定の指向性を持たせるようにしたものである。
【００１０】
特許文献７の鉄道車両用拡声装置は、鉄道車両の状態に対応する音声案内信号（可聴音信号）に対して、超音波帯域に属する搬送波を加算することによって出力する音波の指向性を制御し、この指向性が制御された音波を車両側面のスピーカから放射することで、鉄道車両に乗ろうとする人に対して音声案内を確実に伝達するようにしたものである。
【００１１】
特許文献８の歩行誘導装置は、上面に点字等の情報伝達用突起部を有するブロックに超指向性スピーカを組み込み、ブロック上方へ音または音声を放射することで、視覚障害者の歩行を誘導するようにしたものである。
【００１２】
特許文献９の複合音声案内システムは、複数の超指向性スピーカを利用し、同一地点に対して案内の内容を重ねることで、利用者の立つ位置に応じた案内を行うようにしたものである。
【００１３】
他方、スピーカの分野においては、静電型スピーカと呼ばれるスピーカが知られている（例えば特許文献１０を参照）。この静電型スピーカは、間隔を開けて向かい合う２枚の電極と、この２枚の電極の間に挿入された導電性を有するシート状の振動体とから構成されており、振動体に所定のバイアス電圧を印加しておき、電極に印加する電圧を変化させると、振動体に作用する静電力が変化し、これにより振動体が変位する。この印加電圧を音響信号に応じて変化させれば、それに応じて振動体は変位を繰り返して振動し、音響信号に応じた再生波が振動体から発生する。
【００１４】
このような静電型スピーカにおいては、特許文献１０に示されるように、２枚の電極を柔らかい布状にした静電型スピーカも提案されている。特許文献１０の静電型スピーカは、電極および振動体が柔軟性を有しているので曲げて使用することも可能であり、衣服に内蔵することも可能である。また、柔軟性を有しているので使用しない時には折り畳んで持ち運ぶことも可能となっている。
【先行技術文献】
【特許文献】
【００１５】
【特許文献１】特開２００３−１７４６９０号公報
【特許文献２】特開２００８−３０１３６３号公報
【特許文献３】特開２００７−１８６３２２号公報
【特許文献４】特開２００６−２７７３２８号公報
【特許文献５】特開２００６−１５７４０３号公報
【特許文献６】特開２００６−１５１５３５号公報
【特許文献７】特開２００５−２６２９８４号公報
【特許文献８】特開２００５−２３２９２３号公報
【特許文献９】特開２００５−１５９６５４号公報
【特許文献１０】特開２００８−５４１５４号公報
【発明の概要】
【発明が解決しようとする課題】
【００１６】
ところで、上記の工事現場の作業安全性の一層の向上を図るべく、拡声装置を把持することなく、特定の作業員に対して必要な音声を明確に伝達することができる拡声装置が求められていた。
【００１７】
本発明は、上記に鑑みてなされたものであって、拡声装置を把持することなく、特定の人間に対して必要な音声を明確に伝達することができ、構造が簡単で、かつ安価な構成からなる身体装着型指向性拡声装置および音声伝達方法を提供することを目的とする。
【課題を解決するための手段】
【００１８】
上記した課題を解決し、目的を達成するために、本発明に係る身体装着型指向性拡声装置は、工事現場の作業員の身体に装着して用いられる装着具と、前記装着具に設けられ、前記装着具を装着する者の音声を入力するためのマイクと、前記マイクから入力された音声の信号を増幅処理するアンプと、前記アンプによる音声の処理信号を指向性の音声として出力する静電型スピーカとを備えることを特徴とする。
【００１９】
また、本発明に係る他の身体装着型指向性拡声装置は、上述した発明において、前記装着具は、作業員の胴体に装着して用いられる作業着であり、前記スピーカは、前記作業着の胸部前面に配置され、指向性の音声を前方に向けて出力することを特徴とする。
【００２０】
また、本発明に係る他の身体装着型指向性拡声装置は、上述した発明において、前記装着具は、作業員の胴体に装着して用いられる安全ベストであり、前記スピーカは、前記安全ベストの胸部前面に配置され、指向性の音声を前方に向けて出力することを特徴とする。
【００２１】
また、本発明に係る他の身体装着型指向性拡声装置は、上述した発明において、前記装着具は、作業員の頭部に装着して用いられるヘルメットであり、前記スピーカは、前記ヘルメットの前面に配置され、指向性の音声を前方に向けて出力することを特徴とする。
【００２２】
また、本発明に係る他の身体装着型指向性拡声装置は、上述した発明において、前記スピーカは、軽量で折り曲げ可能な薄板状に構成されることを特徴とする。
【００２３】
また、本発明に係る音声伝達方法は、上述した身体装着型指向性拡声装置を利用して音声を伝達する方法である。
【発明の効果】
【００２４】
本発明に係る身体装着型指向性拡声装置によれば、工事現場の作業員の身体に装着して用いられる装着具と、前記装着具に設けられ、前記装着具を装着する者の音声を入力するためのマイクと、前記マイクから入力された音声の信号を増幅処理するアンプと、前記アンプによる音声の処理信号を指向性の音声として出力する静電型スピーカとを備えるので、装着具を装着している者の音声はマイクを介して、装着具に設けられた静電型スピーカからの指向性の音声として外部に出力される。ここで、静電型スピーカから出力される音は、一般に音の放出方向に対する拡散角度が数度程度と指向性が強く、さらに音のエネルギーは減衰しにくいことから、工事現場の騒音環境の中でも明瞭なささやき声として聞き取り可能である。したがって、本発明の装着具を装着している作業員は、静電型スピーカの向きを、音声を伝えたい特定の作業員に向くようにしてマイクに声を発することで、拡声装置を把持することなく、当該作業員に対して必要な音声を明確に伝達することができ、作業安全性を確保することができる。また、本発明によれば、普通の装着具とマイクとアンプと静電型スピーカといった非常に簡単で安価な構成からなる身体装着型指向性拡声装置を提供することができるという効果を奏する。
【００２５】
また、本発明に係る他の身体装着型指向性拡声装置によれば、前記装着具は、作業員の胴体に装着して用いられる作業着であり、前記スピーカは、前記作業着の胸部前面に配置され、指向性の音声を前方に向けて出力するので、作業着を装着している作業員は、音声を伝えたい特定の作業員に正対するようにしてマイクに声を発することで、拡声装置を把持することなく、当該作業員に対して必要な音声を明確に伝達することができ、作業安全性を確保することができる。また、本発明によれば、作業着とマイクとアンプと静電型スピーカといった非常に簡単で安価な構成からなる身体装着型指向性拡声装置を提供することができるという効果を奏する。
【００２６】
また、本発明に係る他の身体装着型指向性拡声装置によれば、前記装着具は、作業員の胴体に装着して用いられる安全ベストであり、前記スピーカは、前記安全ベストの胸部前面に配置され、指向性の音声を前方に向けて出力するので、安全ベストを装着している作業員は、音声を伝えたい特定の作業員に正対するようにしてマイクに声を発することで、拡声装置を把持することなく、当該作業員に対して必要な音声を明確に伝達することができ、作業安全性を確保することができる。また、本発明によれば、安全ベストとマイクとアンプと静電型スピーカといった非常に簡単で安価な構成からなる身体装着型指向性拡声装置を提供することができるという効果を奏する。
【００２７】
また、本発明に係る他の身体装着型指向性拡声装置によれば、前記装着具は、作業員の頭部に装着して用いられるヘルメットであり、前記スピーカは、前記ヘルメットの前面に配置され、指向性の音声を前方に向けて出力するので、ヘルメットを装着している作業員は、音声を伝えたい特定の作業員に顔の向きを正対するようにしてマイクに声を発することで、拡声装置を把持することなく、当該作業員に対して必要な音声を明確に伝達することができ、作業安全性を確保することができる。また、本発明によれば、ヘルメットとマイクとアンプと静電型スピーカといった非常に簡単で安価な構成からなる身体装着型指向性拡声装置を提供することができるという効果を奏する。
【００２８】
また、本発明に係る他の身体装着型指向性拡声装置によれば、前記スピーカは、軽量で折り曲げ可能な薄板状に構成されるので、上記の効果に加え、作業着・ヘルメット・安全ベストなどに対して容易に加工して設けることができるという効果を奏する。
【００２９】
また、本発明に係る音声伝達方法によれば、上述した身体装着型指向性拡声装置を利用して音声を伝達する方法であるので、上述した身体装着型指向性拡声装置の装着具を装着している作業員は、静電型スピーカの向きを、音声を伝えたい特定の作業員に向くようにしてマイクに声を発することで、拡声装置を把持することなく、当該作業員に対して必要な音声を明確に伝達することができ、作業安全性を確保することができる。特に、音量等を大きくすれば、特定の重機のオペレータに対して従来の拡声装置を把持することなく必要な音声を明確に伝達することもできる。
【図面の簡単な説明】
【００３０】
【図１】図１は、本発明に係る身体装着型指向性拡声装置の基本的構成例を示す概略図である。
【図２】図２は、本発明に係る身体装着型指向性拡声装置の実施例１を示す概略図である。
【図３】図３は、本発明に係る身体装着型指向性拡声装置の実施例２を示す概略図である。
【図４】図４は、本発明に係る身体装着型指向性拡声装置の実施例３を示す概略図である。
【図５】図５は、本発明に係る身体装着型指向性拡声装置の適用事例を示す概略斜視図である。
【図６】図６は、本発明に係る身体装着型指向性拡声装置の適用事例を示す概略平面図である。
【発明を実施するための形態】
【００３１】
以下に、本発明に係る身体装着型指向性拡声装置および音声伝達方法の実施の形態を図面に基づいて詳細に説明する。なお、この実施例によりこの発明が限定されるものではない。
【００３２】
まず、本発明の基本的構成について説明する。
図１に示すように、本発明に係る身体装着型指向性拡声装置１０は、工事現場の作業員の身体に装着して用いられる装着具１２と、装着具１２に設けられ、装着具１２を装着する者の音声を入力するためのマイク１４と、マイク１４から入力された音声の信号を増幅処理するアンプ１６と、アンプ１６による音声の処理信号を指向性の音声として出力する静電型スピーカ１８とを備えるものである。
【００３３】
静電型スピーカ１８は、間隔を開けて向かい合う２枚の電極と、この２枚の電極の間に挿入された導電性を有するシート状の振動体とから構成されており、振動体に所定のバイアス電圧を印加しておき、電極に印加する電圧を変化させると、振動体に作用する静電力が変化し、これにより振動体が変位する。この印加電圧を音響信号に応じて変化させれば、それに応じて振動体は変位を繰り返して振動し、音響信号に応じた再生波が振動体から発生するものである。
【００３４】
この静電型スピーカ１８としては、例えばヤマハ株式会社製の平面スピーカ（商品名：ＴＬＦスピーカー、ＴＬＦは登録商標）を用いることが可能である。この平面スピーカは、（１）スピーカ自体が平面形状で１．５ｍｍと薄い、（２）４６０ｇと軽量である、（３）折り曲げることができる、（４）拡散角度が数度程度と小さく指向性が強い、（５）音のエネルギーが減衰しにくい（到達距離：最低２０ｍ最高８０ｍ程度）、（６）工事現場の騒音環境下においても明瞭なささやき声として聞こえる、といった特長を有している。
【００３５】
上記構成の動作および作用について説明する。
装着具１２を装着している者の音声はマイク１４を介して、装着具１２に設けられた静電型スピーカ１８からの指向性の音声として外部に出力される。ここで、静電型スピーカ１８から出力される音は、上述したように音の放出方向に対する拡散角度が数度程度と指向性が強く、その音のエネルギーは減衰しにくいことから、音を比較的遠方まで到達させることができる。このため、静電型スピーカ１８から出力される音は、工事現場の騒音環境の中でも明瞭なささやき声として聞き取り可能である。
【００３６】
したがって、本発明の装着具１２を装着している作業員は、静電型スピーカ１８の向きを、音声を伝えたい特定の作業員（例えばクレーンオペレータなど）に向くようにしてマイク１４に声を発することで、拡声装置を把持することなく、当該作業員に対して必要な音声を明確に伝達することができ、作業安全性を確保することができる（本発明の音声伝達方法）。また、本発明によれば、衣類等の普通の装着具１２とマイク１４とアンプ１６と静電型スピーカ１８といった非常に簡単で安価な構成からなる身体装着型指向性拡声装置を提供することができるという効果を奏する。
【００３７】
次に、本発明に係る身体装着型指向性拡声装置および音声伝達方法の具体的な実施例１〜３について説明する。
【００３８】
（実施例１）
まず、実施例１について説明する。
図２に示すように、本実施例１に係る身体装着型指向性拡声装置１００は、装着具１２が作業員の胴体に装着して用いられる作業着２０であり、静電型スピーカ１８は、作業着の胸部前面の左ポケット２２内に配置され、指向性の音声を前方に向けて出力するものである。静電型スピーカ１８は、軽量で折り曲げ可能な薄板状に構成され、作業着２０の生地に対して容易に加工して設けることができる。マイク１４は左襟２４に装着してあり、アンプ１６は作業着２０の内面側に配置され、マイク１４、アンプ１６、静電型スピーカ１８は図示しない配線でそれぞれ接続してある。
【００３９】
本実施例１によれば、作業着２０を装着している作業員は、音声を伝えたい特定の作業員に正対するようにしてマイク１４に声を発することで、拡声装置を把持することなく、当該作業員に対して必要な音声を明確に伝達することができ、作業安全性を確保することができる（本実施例１の音声伝達方法）。また、本実施例１によれば、作業着２０とマイク１４とアンプ１６と静電型スピーカ１８といった非常に簡単で安価な構成からなる身体装着型指向性拡声装置を提供することができるという効果を奏する。
【００４０】
（実施例２）
次に、実施例２について説明する。
図３に示すように、本実施例２に係る身体装着型指向性拡声装置２００は、装着具１２が作業員の胴体に装着して用いられる安全ベスト３０であり、静電型スピーカ１８は、安全ベスト３０の胸部前面の左ポケット３２内に配置され、指向性の音声を前方に向けて出力するものである。静電型スピーカ１８は、軽量で折り曲げ可能な薄板状に構成され、安全ベスト３０の生地に対して容易に加工して設けることができる。マイク１４は安全ベスト３０の左上の中央寄り側３４に装着してあり、アンプ１６は安全ベスト３０の内面側に配置され、マイク１４、アンプ１６、静電型スピーカ１８は図示しない配線でそれぞれ接続してある。
【００４１】
本実施例２によれば、安全ベスト３０を装着している作業員は、音声を伝えたい特定の作業員に正対するようにしてマイク１４に声を発することで、拡声装置を把持することなく、当該作業員に対して必要な音声を明確に伝達することができ、作業安全性を確保することができる（本実施例２の音声伝達方法）。また、本実施例２によれば、安全ベスト３０とマイク１４とアンプ１６と静電型スピーカ１８といった非常に簡単で安価な構成からなる身体装着型指向性拡声装置を提供することができるという効果を奏する。
【００４２】
（実施例３）
次に、実施例３について説明する。
図４に示すように、本実施例３に係る身体装着型指向性拡声装置３００は、装着具１２が作業員の頭部に装着して用いられるヘルメット４０であり、静電型スピーカ１８は、ヘルメット４０の前面４２に貼り付け配置され、指向性の音声を前方に向けて出力するものである。静電型スピーカ１８は、軽量で折り曲げ可能な薄板状に構成され、ヘルメット４０の湾曲した前面に対して容易に加工して設けることができる。マイク１４はヘルメット４０の左側の縁４４から下方に突出する湾曲した線状部材４６の下端に設けてあり、アンプ１６はヘルメット４０の内面側に配置され、マイク１４、アンプ１６、静電型スピーカ１８は図示しない配線でそれぞれ接続してある。
【００４３】
本実施例３によれば、ヘルメット４０を装着している作業員は、音声を伝えたい特定の作業員に顔の向きを正対するようにしてマイク１４に声を発することで、拡声装置を把持することなく、当該作業員に対して必要な音声を明確に伝達することができ、作業安全性を確保することができる（本実施例３の音声伝達方法）。また、本実施例３によれば、ヘルメット４０とマイク１４とアンプ１６と静電型スピーカ１８といった非常に簡単で安価な構成からなる身体装着型指向性拡声装置を提供することができるという効果を奏する。
【００４４】
次に、本発明に係る身体装着型指向性拡声装置および音声伝達方法の具体的な適用事例について、図５および図６を参照しながら説明する。
【００４５】
図５および図６に示すように、上記の実施例１の作業着２０を着用した作業員Ｐが、騒音環境下の工事現場内の道路１を挟んで作業員Ａ、Ｂ、Ｃと対面しているものとする。ここで、作業員Ｐは作業員Ｂと正対しているが、作業員Ａ、Ｃとは正対していない。この状態で作業員Ｐが音声を発すると、胸部前面の左ポケットに配置してある静電型スピーカ１８から出力された音声は、伝搬方向Ｓに沿って作業員Ｂに伝わり、指向性の音声として作業員Ｂに聞き取られる。一方、この指向性の音声は、隣の作業員Ａ、Ｃには聞こえない。したがって、作業員Ｐは、工事現場の騒音環境下において拡声装置を把持することなく、特定の作業員Ｂに対して必要な音声を明確に伝達することができ、作業安全性を確保することができる。
【００４６】
上記の実施例１、２において、静電型スピーカ１８を作業着２０、安全ベスト３０の胸部前面の左ポケット内に配置した場合について説明したが、本発明はこの限りではなく、例えば胸部前面の右ポケット内に配置してもよいし、作業着２０、安全ベスト３０の正面であればそれ以外の位置に配置してもよい。配置の方法についても、生地に貼り付け固定したり、着脱自在に設けてもよい。また、マイク１４の配置についても上記の実施例１〜３で説明したものに限るものではなく、作業員の音声を入力可能な位置であれば、いかなる位置に配置してもよい。さらに、アンプ１６の配置についても上記の実施例１〜３で説明したものに限るものではなく、例えば作業着２０、安全ベスト３０、ヘルメット４０の外表面に取り付け固定してもよいし、静電型スピーカ１８と一体的に構成してもよい。
【００４７】
また、上記の実施例１〜３において、マイク１４、アンプ１６、静電型スピーカ１８は図示しない有線による配線によりそれぞれ接続される場合について説明したが、互いをワイヤレス接続方式にて接続する構成としてもよい。
【００４８】
以上説明したように、本発明に係る身体装着型指向性拡声装置によれば、工事現場の作業員の身体に装着して用いられる装着具と、前記装着具に設けられ、前記装着具を装着する者の音声を入力するためのマイクと、前記マイクから入力された音声の信号を増幅処理するアンプと、前記アンプによる音声の処理信号を指向性の音声として出力する静電型スピーカとを備えるので、装着具を装着している者の音声はマイクを介して、装着具に設けられた静電型スピーカからの指向性の音声として外部に出力される。ここで、静電型スピーカから出力される音は、一般に音の放出方向に対する拡散角度が数度程度と指向性が強く、さらに音のエネルギーは減衰しにくいことから、工事現場の騒音環境の中でも明瞭なささやき声として聞き取り可能である。したがって、本発明の装着具を装着している作業員は、静電型スピーカの向きを、音声を伝えたい特定の作業員に向くようにしてマイクに声を発することで、拡声装置を把持することなく、当該作業員に対して必要な音声を明確に伝達することができ、作業安全性を確保することができる。また、本発明によれば、普通の装着具とマイクとアンプと静電型スピーカといった非常に簡単で安価な構成からなる身体装着型指向性拡声装置を提供することができる。
【００４９】
また、本発明に係る他の身体装着型指向性拡声装置によれば、前記装着具は、作業員の胴体に装着して用いられる作業着であり、前記スピーカは、前記作業着の胸部前面に配置され、指向性の音声を前方に向けて出力するので、作業着を装着している作業員は、音声を伝えたい特定の作業員に正対するようにしてマイクに声を発することで、拡声装置を把持することなく、当該作業員に対して必要な音声を明確に伝達することができ、作業安全性を確保することができる。また、本発明によれば、作業着とマイクとアンプと静電型スピーカといった非常に簡単で安価な構成からなる身体装着型指向性拡声装置を提供することができる。
【００５０】
また、本発明に係る他の身体装着型指向性拡声装置によれば、前記装着具は、作業員の胴体に装着して用いられる安全ベストであり、前記スピーカは、前記安全ベストの胸部前面に配置され、指向性の音声を前方に向けて出力するので、安全ベストを装着している作業員は、音声を伝えたい特定の作業員に正対するようにしてマイクに声を発することで、拡声装置を把持することなく、当該作業員に対して必要な音声を明確に伝達することができ、作業安全性を確保することができる。また、本発明によれば、安全ベストとマイクとアンプと静電型スピーカといった非常に簡単で安価な構成からなる身体装着型指向性拡声装置を提供することができる。
【００５１】
また、本発明に係る他の身体装着型指向性拡声装置によれば、前記装着具は、作業員の頭部に装着して用いられるヘルメットであり、前記スピーカは、前記ヘルメットの前面に配置され、指向性の音声を前方に向けて出力するので、ヘルメットを装着している作業員は、音声を伝えたい特定の作業員に顔の向きを正対するようにしてマイクに声を発することで、拡声装置を把持することなく、当該作業員に対して必要な音声を明確に伝達することができ、作業安全性を確保することができる。また、本発明によれば、ヘルメットとマイクとアンプと静電型スピーカといった非常に簡単で安価な構成からなる身体装着型指向性拡声装置を提供することができる。
【００５２】
また、本発明に係る他の身体装着型指向性拡声装置によれば、前記スピーカは、軽量で折り曲げ可能な薄板状に構成されるので、上記の効果に加え、作業着・ヘルメット・安全ベストなどに対して容易に加工して設けることができる。
【００５３】
また、本発明に係る音声伝達方法によれば、上述した身体装着型指向性拡声装置を利用して音声を伝達する方法であるので、上述した身体装着型指向性拡声装置の装着具を装着している作業員は、静電型スピーカの向きを、音声を伝えたい特定の作業員に向くようにしてマイクに声を発することで、拡声装置を把持することなく、当該作業員に対して必要な音声を明確に伝達することができ、作業安全性を確保することができる。特に、音量等を大きくすれば、特定の重機のオペレータに対して従来の拡声装置を把持することなく必要な音声を明確に伝達することもできる。
【産業上の利用可能性】
【００５４】
以上のように、本発明に係る身体装着型指向性拡声装置および音声伝達方法は、例えばダム工事、トンネル工事、大規模造成工事などの工事現場において作業員同士で音声を伝達しあう拡声装置として有用であり、特に、拡声装置を把持することなく、特定の人間に対して必要な音声を明確に伝達できるので作業安全性の向上を図るのに適している。また、音量等を大きくすれば、特定の重機のオペレータに対して従来の拡声装置を把持することなく必要な音声を明確に伝達することもできる。
【符号の説明】
【００５５】
１０，１００，２００，３００  身体装着型指向性拡声装置
１２  装着具
１４  マイク
１６  アンプ
１８  静電型スピーカ
２０  作業着
２２  左ポケット
２４  左襟
３０  安全ベスト
３２  左ポケット
３４  中央寄り側
４０  ヘルメット
４２  ヘルメットの前面
４４  ヘルメットの左側の縁
４６  線状部材
【図１】
2014230214.tif 000003
【図２】
2014230214.tif 000004
【図３】
2014230214.tif 000005
【図４】
2014230214.tif 000006
【図５】
2014230214.tif 000007
【図６】
2014230214.tif 000008